(57)【特許請求の範囲】
【請求項１】
その閉止時に略環状となった磁気回路の形成を可能に分割されたクランプセンサ部をそれぞれの先端部側に各別に収容し、基端部側に配設した支軸に介装させたばね材を介して常に開方向に付勢された状態のもとで開閉自在に軸支されてなる上下一対のケーシングで構成され、
上側に位置する前記ケーシングには、閉方向への押圧力が付与されてその先端面側に掛止時の状態を維持させるべく内蔵させた可動側掛止体と、基端部寄りの上面部側から突出させた操作部を介して所定範囲内での前後方向への摺動を自在に配設されたスライド体と、該スライド体の移動状況に応じて回路が開閉されるランド接点を備えて配設された接点基板と、前記スライド体の後退時に前記可動側掛止体を強制的に開操作して下側に位置する前記ケーシングが先端側に備える固定側掛止体との間の掛合関係を前記回路を開成した状態のもとで解除する開操作体とを少なくとも具備させたことを特徴とするクランプ式電流計。
【請求項２】
前記スライド体は、クランプセンサ部の閉止状態のロックを自在とした係合部を上側に位置するケーシングとの間で形成したことを特徴とする請求項１に記載のクランプ式電流計。
【発明の詳細な説明】
【０００１】
【発明の属する技術分野】
本発明は、開閉自在に分割されたクランプセンサ部を閉止した際に囲繞形成されるクランプ窓を利用して活線状態にある被測定導体の電流を測定するクランプ式電流計に関する。
【０００２】
【従来の技術】
図９は、従来からあるクランプ式電流計の構造例を示す説明図であり、クランプ式電流計１の全体は、略環状の磁気回路の形成を可能に分割されたクランプセンサ部４，５をその前端部側に各別に収容してなる上下一対となったケーシング２，３により構成されており、これらケーシング２，３は、基端部側の支軸６に介装させたバネ材７を介して常に上側のケーシング２を開方向に付勢しながら軸支されている。
【０００３】
この場合、上側に位置するケーシング２の先端部には、ばね材９を介して常に閉方向に付勢されたレバー８ｂ付きの可動側掛止部８が付設されている。
【０００４】
また、下側に位置するケーシング３の先端部には、その閉止時に上側のケーシングの可動側掛止部８が有する掛合面８ａとばね材９の付勢力のもとで自動掛合する掛合面１０ａを備えてなる固定側掛止部１０が配設されている。
【０００５】
このため、可動側掛止部８のレバー８ｂを押し下げることにより、固定側掛止部１０との間の掛合状態を解除して、上側に位置するケーシング２の側を開けることができる。
【０００６】
【発明が解決しようとする課題】
しかし、上記クランプ式電流計１が備える可動側掛止部８のレバー８ｂは、固定側掛止部１０との掛合時に上側に位置するケーシング２から外方に突出しており、ロック機構を備えていないこともあって誤ってレバー８ｂを他部材に接触させて押し下げられた際、その掛合関係が解除されて簡単に開いてしまうという不都合があった。
【０００７】
また、レバー８ｂ自体は、クランプ窓１ａの位置よりも前方に位置しているので、手指を用いて開操作を行う際に、クランプ窓１ａ内に位置させた被測定導体Ｌとの関係で危険度が相対的に高くなるという不都合もあった。
【０００８】
本発明は従来技術にみられた上記課題に鑑み、開閉自在に分割されたクランプセンサ部が形成するクランプ窓内に導入された活線状態にある被測定導体の電流測定作業をより安全で、円滑に行うことができるようにしたクランプ式電流計を提供することを目的とする。
【０００９】
【課題を解決するための手段】
本発明は上記目的を達成すべくなされたものであり、その閉止時に略環状となった磁気回路の形成を可能に分割されたクランプセンサ部をそれぞれの先端部側に各別に収容し、基端部側に配設した支軸に介装させたばね材を介して常に開方向に付勢された状態のもとで開閉自在に軸支されてなる上下一対のケーシングで構成され、上側に位置する前記ケーシングには、閉方向への押圧力が付与されてその先端面側に掛止時の状態を維持させるべく内蔵させた可動側掛止体と、基端部寄りの上面部側から突出させた操作部を介して所定範囲内での前後方向への摺動を自在に配設されたスライド体と、該スライド体の移動状況に応じて回路が開閉されるランド接点を備えて配設された接点基板と、前記スライド体の後退時に前記可動側掛止体を強制的に開操作して下側に位置する前記ケーシングが先端側に備える固定側掛止体との間の掛合関係を前記回路を開成した状態のもとで解除する開操作体とを少なくとも具備させたことに構成上の特徴がある。この場合、前記スライド体は、クランプセンサ部の閉止状態のロックを自在とした係合部を上側に位置するケーシングとの間で形成できるようにしておくのが望ましい。
【００１０】
【発明の実施の形態】
第１図は、本発明に係るクランプ式電流計の一例を開状態のもとで示す全体斜視図である。また、図２の（イ）は、図１に示すクランプ式電流計についてのロック閉止時の状態を平面側からみた内部構造を、（ロ）は一部を切り欠いてた正面側からみた内部構造をそれぞれ示す。さらに、図３は、同クランプ式電流計の開操作開始直前の状態を、図４は、同クランプ式電流計の開操作終了直後の状態をそれぞれ一部を切り欠いて示す正面図である。
【００１１】
これらの図によれば、その閉止時にクランプ窓１１ａを形成するクランプ式電流計１１の全体は、略環状となった磁気回路の形成を可能に分割されたクランプセンサ部１８，５５をそれぞれの先端部１３，５３側に各別に収容し、基端部１６，５４側に配設した支軸１７に介装させたばね材２１の付勢力により、常に開方向に付勢された状態のもとで開閉可能に軸支された絶縁性のあるプラスチック成形品など、適宜の素材を用いて形成されてなる上下一対のケーシング１２，５２により構成されている。
【００１２】
このうち、上側に位置するケーシング１２は、その先端部１３側に外部への突出部位をなくして掛止時の状態を維持させるべく内蔵させた可動側掛止体２２と、基端部１６寄りの上面部１４の切欠窓１５から突出させた操作部３０を介して長さ方向における所定範囲内での進退を自在に配設されたスライド体２８と、該スライド体２８の摺動状況に応じて回路が開閉されるランド接点３８を備えて配設された接点基板３７と、スライド体２８の動きに連動させて可動側掛止体２２を遊び距離ｔ内で開方向に操作できる開操作体４２とを少なくとも備えて形成されている。なお、図中の符号４６は、上側に位置するクランプセンサ部１８を下方向に押圧付勢するために配設された板ばねを示す。
【００１３】
これを図示例に即してさらに詳しく説明すれば、掛止片２３を下端に、開操作用の突片２４を上端に有してなる可動側掛止体２２は、ケーシング１２の先端面１３ａの内部にて支軸２５を介して回動自在に軸支されている。しかも、該支軸２５には、捲回部２６ａを有して略Ｕ字形に形成されたコイルばね２６が介装支持されており、その一方の支脚片２６ｂを可動掛止体２２側に、他方の支脚片２６ｃをケーシング１２の支持部１２ａ側にそれぞれ当接支持されている。このため、可動側掛止体２２は、掛止片２３に対し下側に位置するケーシング５２に付設された後述する固定側掛止体５６へと向かう押圧力、つまり閉方向への押圧力が常に付与されて軸支されることになる。しかも、可動側掛止体２２は、スライド体２８の動きに連動して後退する、例えば進退方向に長い略長方形の囲枠状となって形成されている開操作体４２の前端部４３が突片２４に掛止され、開方向へと強制的に回動できるようになっている。
【００１４】
また、スライド体２８は、ケーシング１２内に設けられている支持部１２ｂにガイドされてその内部を前後に摺動するプレート部２９と、手指で操作するために切欠窓１５から突出させた操作部３０と、プレート部２９の前端側に立設した起立片部３１とを備えて形成されている。この場合、起立片部３１は、スライド体２８を遊び距離ｔを後退させた際に開操作体４２の後端部４４を掛止して従動させ得る配置関係のもとでプレート部２９に立設されている。
【００１５】
さらに、プレート部２９の下面２９ａには、その摺動状況に応じて接点基板３７が有するランド接点３８との間で回路を開閉する導電性バネ材３３が付設されている。すなわち、該導電性バネ材３３は、接点基板３７上におけるスライド体２８の摺動方向に沿うようにして離間させた２点に設けられているランド接点３８，３８のそれぞれにロック閉止時に各別に接触して回路を閉成する位置関係のもとで垂設された一対の可撓脚片３３ａ，３３ｂを有して形成されている。
【００１６】
しかも、スライド体２８は、クランプセンサ部１８，５５が閉止されたときにその状態をロックできる係合部３５をケーシング１２との間で形成しておくのが望ましい。具体的には、スライド体２８の進退方向での両側部２８ａ，２８ａには、外方に拡開するばね性が付与された一対の係止腕部３２，３２がそれぞれの外側に係止突起３２ａを有して基端部１６方向に向かって腕状に延設されている。
【００１７】
また、ケーシング１２におけるスライド体２８の両側部２８ａ，２８ａとの対向部位には、クランプセンサ部１７，５５が完全に閉止された際にロック状態が得られる位置関係のもとで係止突起３２ａと係合する凹部１９が設けられており、これら係止突起３２ａと凹部１９との間で係合部３５が形成されることになる。なお、図２中の符号２０は、開操作時のスライド体２８の可動範囲を係止腕部３２の係止突起３２ａとの関係で規制すべく、ケーシング１２の対応部位に設けられた位置規制用凹部を示す。
【００１８】
接点基板３７は、ランド接点３８，３８を備えてスライド体２８の近接下方にて対面する位置関係のもとで固定されており、導電性バネ材３３の可撓脚片３３ａ，３３ｂがランド接点３８，３８に接触した際に回路を閉成できるようになっている。
【００１９】
開操作体４２は、図示例のようにスライド体２８の摺動方向に長くなった長方形の囲枠状に形成されてスライド体２８の起立片部３１と可動側掛止体２２の突片２４との間に遊び距離ｔを付与して介在配置されており、その前端部４３を可動側掛止体２２の突片２４に掛止させて可動側掛止体２２を開操作することができる。具体的は、ロック閉止状態のもとでスライド体２８が開方向である後退方向に遊び距離ｔ分だけ摺動されると、起立片部３１が開操作体４２の後端部４４と当接し、掛止された状態で開操作体４２も従動する。開操作体４２がさらに従動すると、今度はその前端部４３が突片２４に掛止されてこれを動かし、該突片２４と一体となった可動側掛止体２２が開方向へと強制的に回動されることになる。
【００２０】
一方、下側に位置するケーシング５２は、その先端部５３側に付設された固定側掛止体５６を有しており、該固定側掛止体５６は、その閉止時に上側に位置するケーシング１２が備える可動側掛止体２２の掛止片２３と掛合するフック片５７を備えて形成されている。
【００２１】
しかも、クランプ窓１１ａよりも基端部１６，５４寄りに位置するケーシング１２，５２のそれぞれには、そのロック閉止時に周方向へと環状に連続するようにして隆条部６１が隆設されており、該隆条部６１に手指が触れた際に得られる触覚でその存在を感知できるようになっている。
【００２２】
次に、上記構成からなるクランプ式電流計１１の操作と用法とを図面を参酌しながら以下に説明する。
【００２３】
図２に示すように一対の係止腕部３２，３２が各係止突起３２ａを凹部１９に係合させて係合部３５を形成したロック閉止状態にあるクランプ式電流計１１は、スライド体２８の操作部３０を手指を用いて後退させることによりロック状態が解除され、さらに遊び距離ｔを経た図３に示す位置にまで操作部３０を強制的に後退させることにより、各係止突起３２ａをそれぞれの位置規制用凹部２０の始端２０ａ内へと導入することができる。
【００２４】
操作部３０をさらに係止突起３２ａを位置規制用凹部２０の終端２０ｂへと後退させることにより、可動側掛止体２２は、図４に示すように開操作体４２の前端部４３に係止された突片２４が開方向へと移動することにより強制的に回動させられる。これにより、可動側掛止体２２の掛止片２３と固定側係止体５６のフック片５７との間の係合関係は解消され、図５に示すようにばね材２１の付勢力によりケーシング１２の側が開方向へ回動し、図１と図６とに示すようにあらかじめ決められた位置にまで完全に開けることができ、被測定導体Ｌをクランプ窓１１ａ内へと導入することができる。なお、操作部３０から手指を離すと同時に、スライド体２８は、コイルばね２６の復元力により自動的に回動する固定側係止体５６の動きに従動する結果、各係止突起３２ａも位置規制用凹部２０の始端２０ａに到達する位置にまで戻り、図６に示す状態となる。
【００２５】
しかる後、隆条部６１が位置する部位より基端部１６，５４寄りに位置する部位のケーシング１２，５２相互を押し当てることにより、図７に示すように固定側係止体５６と固定側係止体５６とが掛合して閉状態とすることができる。
【００２６】
しかし、図３や図７からも明らかなように、この状態では、接点基板３７のランド接点３８，３８に導電性バネ材３３の可撓脚片３３ａ，３３ｂがいまだ接触していないので、回路は開成されている。また、閉状態にあるとはいえ、いまだロック状態ともなっていない。このため、操作部３０を手指を用いて遊び距離ｔ分だけ、つまり各係止突起３２ａが凹部１９に係合する位置にまで前進させることにより、係合部３５を形成して可撓脚片３３ａ，３３ｂもランド接点３８，３８に接触させた状態のもとで図８に示すロック状態とすることができる。このため、測定作業者は、ロック閉止状態のもとでクランプ式電流計１１による被測定導体Ｌの電流測定作業に入ることができる。
【００２７】
しかも、測定作業者によるクランプ式電流計１１を用いた被測定導体Ｌの電流測定作業は、クランプ窓１１ａ内への被測定導体Ｌの導入から測定を経て、クランプ窓１１ａ内からの被測定導体Ｌの導出に至るまで、常に隆条部６１が位置する部位より基端部１６，５４寄りにて行うことができるので、より安全で、円滑に遂行することができることになる。
【００２８】
【発明の効果】
以上述べたように本発明によれば、クランプ窓内への被測定導体の導入から測定を経て、これを導出するに至るまでの一連の操作は、上下一対のケーシングをクランプ窓の位置よりも基端部寄りの部位を手指で把持しながら操作部を操作することにより行うことができるので、測定作業者による電流測定作業の安全性の確保と作業性の向上とに大きく寄与させることができる。
【００２９】
また、本発明に係るクランプ式電流計は、そのクランプ窓の近傍に配設される開閉操作を行うために必要な機構を掛止時の状態を維持させるためにケーシング内に内蔵させてあるので、例えばその先端部側が他部材に接触することがあっても誤って閉状態が解除されるということはなく、安心して使用することができる。しかも、クランプ式電流計がロック閉止機能を備えている場合には、測定作業者による電流測定作業をより優れた安全状態のもとで行うことができる。
【図面の簡単な説明】
【図１】  本発明の一例を開状態のもとで示す全体斜視図。
【図２】  （イ）は、図１に示すクランプ式電流計についてのロック閉止時の状態を平面側からみた内部構造を、（ロ）は一部を切り欠いてた正面側からみた内部構造をそれぞれ示す。
【図３】  同クランプ式電流計の開操作開始直前の状態を一部を切り欠いて示す正面図である。
【図４】  同クランプ式電流計の開操作終了直後の状態を一部を切り欠いて示す正面図である。
【図５】  同クランプ式電流計のクランプ窓内に被測定導体を導入しようとして開状態にした直後の状態を一部を切り欠いて示す正面図である。
【図６】  同クランプ式電流計のクランプ窓内に被測定導体を導入できる完全な開状態を一部を切り欠いて示す正面図である。
【図７】  同クランプ式電流計のクランプ窓内に被測定導体を導入した後の非ロック状態での閉状態を一部を切り欠いて示す正面図である。
【図８】  同クランプ式電流計のクランプ窓内に被測定導体を導入した後のロック状態のもとでの閉状態（測定状態）を図２（ロ）と同様に一部を切り欠いて示す正面図である。
【図９】  従来からあるクランプ式電流計の構造例を示す説明図。
【符号の説明】
１１  クランプ式電流計
１１ａ  クランプ窓
１２  ケーシング
１２ａ，１２ｂ  支持部
１３  先端部
１３ａ  先端面
１４  上面部
１５  切欠窓
１６  基端部
１７  支軸
１８  クランプセンサ部
１９  凹部
２０  位置規制用凹部
２１  ばね材
２２  可動側掛止体
２３  掛止片
２４  突片
２５  支軸
２６  コイルばね
２６ａ  捲回部
２６ｂ，２６ｃ  支脚片
２８  スライド体
２８ａ  側部
２９  プレート部
２９ａ  下面
３０  操作部
３１  起立片部
３２  係止腕部
３２ａ  係止突起
３３  導電性ばね材
３３ａ，３３ｂ  可撓脚片
３５  係合部
３７  接点基板
３８  ランド接点
４２  開操作体
４３  前端部
４４  後端部
４６  板ばね
５２  ケーシング
５３  先端部
５４  基端部
５５  クランプセンサ部
５６  固定側掛止体
５７  フック片
６１  隆条部
Ｌ  被測定導体
ｔ  遊び距離
【図１】
0003694436.tif 000002
【図２】
0003694436.tif 000003
【図３】
0003694436.tif 000004
【図４】
0003694436.tif 000005
【図５】
0003694436.tif 000006
【図６】
0003694436.tif 000007
【図７】
0003694436.tif 000008
【図８】
0003694436.tif 000009
【図９】
0003694436.tif 000010